(57)【要約】【課題】乾電池とパック電池のどちらでも装填することができる電池ホルダであって、乾電池を装填した際に乾電池同士の接触を防止することができ、且つ、乾電池とパック電池の識別を行うことのできる電池ホルダ、及びそれを有するカメラを提供する。【解決手段】カメラ１０の電池ホルダ４４は電池装填穴４８を有し、この電池装填穴４８内に進退自在となるように間隔保持部材６０が設けられる。電池装填穴４８に二本の乾電池５０、５０を装填した際、間隔保持部材６０は電池装填穴４８内に進出して乾電池５０、５０同士の間隔を保持し、パック電池５２を装填した際には電池装填穴４８から退避する。間隔保持部材６０の進退動作はマイクロスイッチ６６によって検出される。【選択図】    図３
2006172744.tif 000002
【特許請求の範囲】
【請求項１】
複数の乾電池、又は複数の乾電池を内蔵したパック電池が装填される電池装填部と、
該電池装填部の内部に退避自在に設けられ、前記電池装填部に前記複数の乾電池が装填された際には該複数の乾電池同士の間に配置されて乾電池同士の間隔を保持するとともに、前記電池装填部に前記パック電池が装填された際には前記電池装填部から退避する退避部材と、
該退避部材の退避動作を検出することによって、装填された電池の種類を識別する電池識別手段と、
を備えたことを特徴とする電池ホルダ。
【請求項２】
前記退避部材を前記乾電池同士の間の位置に復帰させる付勢手段を備えたことを特徴とする請求項１に記載の電池ホルダ。
【請求項３】
前記電池識別手段は、マイクロスイッチによって前記退避部材の退避動作を検出することを特徴とする請求項１又は２に記載の電池ホルダ。
【請求項４】
前記電池識別手段は、光学式センサによって前記退避部材の退避動作を検出することを特徴とする請求項１又は２に記載の電池ホルダ。
【請求項５】
請求項１〜４のいずれか１に記載の電池ホルダを備えたことを特徴とするカメラ。
【請求項６】
前記電池への充電を行う充電手段と、
前記電池識別手段の識別結果に応じて前記充電手段を制御する制御手段と、
を備えたことを特徴とする請求項５に記載のカメラ。
【請求項７】
前記電池識別手段の識別結果に基づいて電池の残容量を算出する算出手段を備えたことを特徴とする請求項５又は６に記載のカメラ。
【発明の詳細な説明】
【技術分野】
【０００１】
本発明は電池ホルダに係り、特に乾電池とパック電池のどちらでも装填することのできる電池ホルダ、及びそれを備えた電子スチルカメラ等のカメラに関する。
【背景技術】
【０００２】
カメラの種々の動作を行うための電源として電池が利用されている。電池は、個々の乾電池として使用する場合と、複数の乾電池を一体化したパック電池として使用する場合がある。パック電池は、二本の二次電池を互いに逆向きで並列に配列させ、この二本の電池の間に中間スペーサーを設けて結合させたものが知られている（特許文献１参照）。
【０００３】
パック電池を使用するカメラが特許文献２に記載されている。このカメラは、パック電池だけでなく、通常の乾電池も使用可能に構成されており、パック電池と乾電池のどちらが装填されているかを、パック電池に設けたサーミスタとの接続の有無を判別することによって、認識できるようになっている。
【特許文献１】特開平７−８５８９６号公報
【特許文献２】特開２００１−１８５２３１号公報
【発明の開示】
【発明が解決しようとする課題】
【０００４】
ところで、パック電池と乾電池を併用するカメラでは、乾電池を電池ホルダに装填した際、乾電池同士が接触して異常な高温になるおそれがあった。このような不具合は、乾電池のピッチ間を狭くしてカメラの小型化を図るほど、発生する可能性が高くなる。
【０００５】
また、従来のカメラは、装填された電池の種類を認識する認識手段のために装置が大型化したり、或いは制御が複雑になるという問題があった。
【０００６】
本発明はこのような事情に鑑みてなされたもので、乾電池とパック電池のどちらでも装填することができる電池ホルダであって、乾電池を装填した際に乾電池同士の接触を防止することができ、且つ、乾電池とパック電池の識別を行うことのできる電池ホルダを提供することを目的とする。また、その電池ホルダを有するカメラを提供することを目的とする。
【課題を解決するための手段】
【０００７】
請求項１に記載の発明は前記目的を達成するために、複数の乾電池、又は複数の乾電池を内蔵したパック電池が装填される電池装填部と、該電池装填部の内部に退避自在に設けられ、前記電池装填部に前記複数の乾電池が装填された際には該複数の乾電池同士の間に配置されて乾電池同士の間隔を保持するとともに、前記電池装填部に前記パック電池が装填された際には前記電池装填部から退避する退避部材と、該退避部材の退避動作を検出することによって、装填された電池の種類を識別する電池識別手段と、を備えたことを特徴とする。
【０００８】
請求項１の発明によれば、乾電池を電池装填部に装填した際に乾電池同士の間に配置される退避部材を設けたので、乾電池同士の間隔を退避部材によって保持することができる。よって、乾電池同士の接触を防止することができ、異常な高温になることを防止することができる。
【０００９】
また、請求項１の発明によれば、パック電池を電池装填部に装填した際に退避部材が退避するので、乾電池とパック電池のどちらでも装填して使用することができる。
【００１０】
さらに、請求項１の発明によれば、装填された電池の種類を退避部材の退避動作によって識別するので、電池の種類の識別手段を別途設ける必要がなく、装置の小型化を図ることができる。
【００１１】
請求項２に記載の発明は請求項１の発明において、前記退避部材を前記乾電池同士の間の位置に復帰させる付勢手段を備えたことを特徴とする。したがって、請求項２の発明によれば、乾電池を挿入した際に退避部材を確実に乾電池同士の間に配置することができる。
【００１２】
請求項３に記載の発明は請求項１又は２の発明において、前記電池識別手段は、マイクロスイッチによって前記退避部材の退避動作を検出することを特徴とする。
【００１３】
請求項４に記載の発明は請求項１又は２の発明において、前記電池識別手段は、光学式センサによって前記退避部材の退避動作を検出することを特徴とする。
【００１４】
請求項５に記載の発明は、カメラにおいて請求項１〜４のいずれか１に記載の電池ホルダを備えたことを特徴とする。
【００１５】
請求項６に記載の発明は請求項５の発明において、前記電池への充電を行う充電手段と、前記電池識別手段の識別結果に応じて前記充電手段を制御する制御手段とを備えたことを特徴とする。したがって、請求項６の発明によれば、乾電池とパック電池とを識別して充電の制御を行うので、例えば乾電池への充電を防止することができる。
【００１６】
請求項７に記載の発明は請求項５又は６の発明において、前記電池識別手段の識別結果に基づいて電池の残容量を算出する算出手段を備えたことを特徴とする。したがって、請求項７に記載の発明によれば、乾電池とパック電池で電池の残容量が異なる場合にも、正確に残容量を算出することができる。
【発明の効果】
【００１７】
本発明に係る電池ホルダ及びカメラによれば、乾電池同士の間に退避部材を退避自在に設けたので、乾電池とパック電池のどちらでも使用することができ、且つ乾電池同士の接触を防止することができる。また、退避部材の退避動作によって電池の種類を識別するようにしたので、電池の識別手段を別途設ける必要がなく、装置を小型化することができる。
【発明を実施するための最良の形態】
【００１８】
以下添付図面に従って本発明に係る電池ホルダ及びカメラの好ましい実施の形態について説明する。
【００１９】
図１は、本発明に係る電池ホルダが適用されたカメラ１０の斜視図であり、図２はカメラ１０の背面及び底面側の斜視図である。このカメラ１０は、静止画及び動画の記録再生機能を備えたデジタルカメラである。
【００２０】
図１に示すようにカメラ１０の正面には、沈胴式の撮影レンズ１２、ファインダー窓１４、ストロボ調光センサ１６、ストロボ発光部１８、及び電源スイッチ２０が設けられる。電源スイッチ２０は、横方向にスライド自在に設けられ、この電源スイッチ２０をスライドさせることによって、電源のＯＮ／ＯＦＦが切り替えられる。撮影レンズ１２には、沈胴位置で開閉されるレンズカバー（不図示）が設けられている。
【００２１】
カメラ１０の上面にはシャッターボタン２２が設けられ、このシャッターボタン２２の半押し操作によってピント合わせが行われ、シャッターボタン２２の全押し操作によって撮影の実行が行われる。
【００２２】
カメラ１０の側面には、映像用ケーブルが接続されるビデオ端子２４と、電源アダプターが接続される電源入力端子２６と、ＵＳＢケーブルが接続されるコネクタ２８が設けられる。なお、コネクタ２８は、後述のクレードルとの接続端子として兼用される。
【００２３】
各端子が設けられた側面と反対側の側面には、図２に示すように、ストラップ取付部３０が設けられ、不図示のストラップが係合できるようになっている。
【００２４】
カメラ１０の背面には、モニタ３２、ファインダー３４、ダイヤル３６、及び複数の操作ボタン３８Ａ、３８Ｂ…が設けられる。モニタ３２には、撮影レンズ１４で取り込まれた画像が液晶表示される。ダイヤル３６は回動自在に設けられ、このダイヤル３６を回動操作することによって動作モードが選択され、再生モード、撮影モード、或いは動画モード等が切り替わる。操作ボタン３８Ａには、メニューの呼び出しや各操作を実行する機能が割り当てられ、操作ボタン３８Ｂには、各操作を中止する機能が割り当てられる。操作ボタン３８Ｃにはズーム操作を行う機能が割り当てられ、操作ボタン３８Ｄにはストロボの設定を選択する機能が割り当てられ、操作ボタン３８Ｅには近距離撮影モードを選択する機能が割り当てられる。これらの操作ボタン３８Ｃ〜３８Ｅは、メニューを表示した際にカーソルを移動する際や、再生モードでのコマ送り等にも使用される。操作ボタン３８Ｆは画素数や感度を設定するボタンであり、操作ボタン３８Ｇは、表示画面を分割表示する際に使用するボタンである。
【００２５】
カメラ１０の下面には、三脚取付用のねじ穴４０と電池カバー４２が設けられる。電池カバー４２は開閉自在に取り付けられており、回動操作と横方向へのスライド操作を組み合わせることによって電池カバー４２が開閉されるようになっている。すなわち、開いた状態の電池カバー４２を回動させた後、ねじ穴４０側にスライドさせることによって電池カバー４２が閉じられる。反対に、閉じた状態の電池カバー４２を外側にスライドさせた後に回動させることによって、電池カバー４２が開き、内部の電池ホルダ４４が露出される。なお、図２の符号４６は、ｘＤピクチャーカード等の記録メディアが挿入されるスロットである。
【００２６】
図３は電池ホルダ４４の構成を示す透視斜視図である。図４は乾電池５０、５０を装填した電池ホルダ４４の透視斜視図であり、図５はパック電池５２を装填した電池ホルダ４４の透視斜視図である。また、図６はパック電池５２を装填する前の電池ホルダ４４の縦断面図であり、図７はパック電池５２を装填した後の電池ホルダ４４の縦断面図である。
【００２７】
図３に示すように、電池ホルダ４４に装填されるパック電池５２は、二本の乾電池５４、５４を平行、且つ逆向きとなるように配設し、この二本の乾電池５４、５４の間にスペーサ５６を設け、不図示の結合手段で結合することにより構成される。スペーサ５６は耐熱性を有する合成樹脂から成り、乾電池５４、５４の外周面が当接する曲面５６Ａ、５６Ａを有している。この曲面５６Ａ、５６Ａに乾電池５４、５４を当接させて結合手段で結合することによって乾電池５４、５４が所定の間隔に保持される。結合手段としては、例えば略Ｃ状に形成された樹脂部材が用いられ、この樹脂部材で乾電池５４、５４を両外側から挟持することによって結合される。なお、パック電池５２の乾電池５４、５４は、ニッケル水素電池等の二次電池が用いられる。また、パック電池５２とは別に使用される乾電池５０、５０は、アルカリ電池等の一次電池が使用される。
【００２８】
電池ホルダ４４には電池装填穴４８が形成されており、この電池装填穴４８に二本の乾電池５０、５０、或いは上記のパック電池５２が装填される。したがって、電池装填穴４８は、二本の乾電池５０、５０とパック電池５２のどちらでも装填可能な形状、すなわち、乾電池５０を装填するための二つの円穴を中央で繋げた略ひょうたん型に形成されている。したがって、図４に示すように二本の乾電池５０、５０を電池装填穴４８に装填したり、或いは図５に示すようにパック電池５２を電池装填穴４８に装填したりすることができる。
【００２９】
電池装填穴４８には間隔保持部材（退避部材に相当）６０が設けられている。間隔保持部材６０は耐熱性を有する合成樹脂から成り、先端６０Ａが細長く形成されている。図４に示すように電池装填穴４８に二本の乾電池５０、５０を装填した際には、間隔保持部材６０の先端６０Ａが乾電池５０、５０同士の間に入り込んで乾電池５０、５０の間隔が保持される。これにより、乾電池５０、５０同士の接触を防止することができる。
【００３０】
また、間隔保持部材６０は、ピン６２を介して回動自在に支持されており、電池装填穴５２にパック電池５２を装填した際に、間隔保持部材６０はパック電池５２に押されて回動し、電池装填穴５２から退避移動するようになっている。
【００３１】
図６及び図７に示すように、間隔保持部材６０にはトーションバネ６４が取り付けられ、このトーションバネ６４によって間隔保持部材６０は、電池装填穴４８に進出する方向（図６参照）に付勢される。したがって、電池装填穴４８に電池を装填しない場合や二本の乾電池５０、５０を装填した場合には、間隔保持部材６０は電池装填穴４８に突出した状態になっている。そして、電池装填穴４８にパック電池５２を装填した場合に、パック電池５２がトーションバネ６４の付勢力に抗して間隔保持部材６０を回動させ、電池装填穴４８から退避移動させる。
【００３２】
図７に示すように、電池装填穴４８の側壁には開口部４９が形成されており、電池装填穴４８から退避移動した間隔保持部材６０は、この開口部４９内に収まるようになっている。開口部４９の位置にはマイクロスイッチ６６が支持部材６８に支持されて設けられており、間隔保持部材６０が退避移動した際にこのマイクロスイッチ６６に接触し、これを検知できるようになっている。
【００３３】
次に上述したカメラ１０の内部構成について説明する。図８は、カメラ１０と、これを載置するクレードル１００の内部構成を示したブロック図である。
【００３４】
撮影レンズ１２を介して入射した光は、ＣＣＤイメージセンサ（以下、ＣＣＤという）７０の受光面に結像される。ＣＣＤ７０の受光面に結像された被写体像は、各フォトセンサによって入射光量に応じた量の信号電荷に変換される。こうして蓄積された信号電荷は、不図示のＣＣＤドライバから加えられるパルスに基づいて、信号電荷に応じた電圧信号として順次読み出される。ＣＣＤ７０から出力された画像信号は、サンプリングホールド処理、色分離処理、ゲイン調整処理などの所定のアナログ信号処理を経た後、Ａ／Ｄ変換器７２によりデジタル信号に変換される。なお、ＣＣＤ７０に変えてＣＭＯＳイメージセンサなどの他の撮像デバイスを用いることもできる。
【００３５】
Ａ／Ｄ変換器７２から出力されたデジタル画像データは、信号処理部７４に送られる。信号処理部７４は、輝度・色差信号生成回路、ガンマ補正回路、シャープネス補正回路、コントラスト補正回路、ホワイトバランス補正回路等を含む画像処理手段として機能し、ＣＰＵ７６の指令に従って画像信号を処理する。
【００３６】
操作部７８は、図１及び図２で示したシャッターボタン２２、電源スイッチ２０、ダイヤル３６、各操作ボタン３８Ａ〜３８Ｇ等の各種操作スイッチを含むブロックである。このうち、シャッターボタン２２が押下されると、撮影開始指示（レリーズＯＮ）信号が発せられ、ＣＰＵ７６は、レリーズＯＮ信号を検知して記録用の撮像動作を実行する。すなわち、シャッターボタン２２の押下に応動して取り込まれた画像データは、信号処理部７４において輝度信号（Ｙ信号）及び色差信号（Ｃr Ｃb 信号）に変換されるとともに、ガンマ補正などの所定の処理が施される。こうして、信号処理部７４で処理された画像データは、バス８０を介して圧縮処理部８２に送られ、圧縮処理部８２においてＪＰＥＧ（Joint Photographic Experts Group）形式その他の所定の形式に従って圧縮された後、メモリ（カメラに内蔵された固定メモリ）８４等に記録される。
【００３７】
ＣＰＵ７６は、操作部７８から受入する入力信号に基づき、対応する回路の動作を制御する制御部である。ＣＰＵ７６は、シャッターボタン２２の半押しに応動して取り込まれた画像データから焦点評価演算やＡＥ演算などの各種演算を行い、その演算結果に基づいてレンズ駆動部（不図示）を制御して撮影レンズ１２を合焦位置に移動させる一方、不図示の絞り機構を制御するとともに、ＣＣＤ７０の電荷蓄積時間を制御する。また、ＣＰＵ７６は、撮影動作の制御の他、画像データの記録処理制御、メモリ８４の容量管理、モニタ３２の表示制御、及びＵＳＢコントローラ８６を使用する通信制御などを行う。
【００３８】
カメラ１０内の電源は、電池ホルダ４４に装填される乾電池５０或いはパック電池５２、又は、電源入力端子８８に接続される外部電源から供給される。カメラ１０内にはＣＰＵ７６の指令に従って動作する充電回路及びスイッチ回路９０、並びにＤＣ／ＤＣコンバータ９２が設けられる。なお、電池ホルダ４４には、前述のマイクロスイッチ６６が設けられ、このマイクロスイッチ６６の検出結果に基づいて、装填された電池の種類、すなわち乾電池５０かパック電池５２かの識別が行われる。
【００３９】
ＣＰＵ７６がパック電池５２を識別し、且つカメラ電源がオフ状態のときに電源入力端子８８またはクレードルコネクタ１０２経由で直流電源が供給されると、充電回路及びスイッチ回路９０は、パック電池５２への充電動作を開始し、満充電されると充電動作を停止する。
【００４０】
また、充電回路及びスイッチ回路９０は、カメラ電源がオン状態のときには上記充電動作を行わず、入力される直流電源をＤＣ／ＤＣコンバータ９２に供給するように回路を切り替える。これにより、電池または電源入力端子から供給される電力は、ＤＣ／ＤＣコンバータ９２によって所要の電圧に変換された後、カメラ１０内の各回路ブロックに供給される。
【００４１】
カメラ１０には、コネクタ（ＵＳＢ端子）２８が設けられ、このコネクタ２８がクレードルのコネクタ１０２に接続される。
【００４２】
クレードル１００には、電源入力端子１０４、ＵＳＢ端子１０６、電源スイッチ１０８、及びクレードルＬＥＤ１１０が設けられており、これらはクレードルコネクタ１０２と電気的に接続されている。そして、カメラ１０をクレードル１００に装着することによって、コネクタ２８とクレードルコネクタ１０２が接続される。これにより、クレードル１００側の電源入力端子１０４がカメラ１０側の充電回路及びスイッチ回路９０に接続され、クレードル１００側のＵＳＢ端子１０６は、カメラ１０側のＵＳＢコントローラ８６に接続される。また、クレードル１００側のＬＥＤ１１０はカメラ１０のＣＰＵ７６に接続され、ＣＰＵ７６から入力する信号に応じてカメラ１０の各種の状態がＬＥＤ１１０に表示される。さらに、クレードル１００側の電源スイッチ１０８は、ＣＰＵ７６に接続される。この接続ラインはプルアップされており、クレードルコネクタ１０２とコネクタ２８が接続されることによってローレベルになる。これにより、カメラ１０がクレードルに載置されたことを検出することができる。
【００４３】
なお、カメラ１０側に充電回路を設けたが、充電回路をクレードル１００側に設ける態様も可能である。また、クレードル１００側に制御部として機能するＣＰＵを搭載し、充電制御や通信制御等を行う態様も可能である。更に、クレードル１００に液晶ディスプレイなどの表示装置やメモリカードその他の記録メディアを挿入するメディア装着部を設けることも可能である。
【００４４】
次に上記の如く構成されたカメラ１０の電池ホルダ４４の作用について説明する。
【００４５】
図３に示すように電池ホルダ４４には、二本の乾電池５０、５０、或いはパック電池５２が選択されて装填される。二本の乾電池５０、５０を装填した場合、間隔保持部材６０は電池装填穴４８に進出した状態になっており、この間隔保持部材６０の先端６０Ａが二本の乾電池５０、５０の間に配置される。したがって、二本の乾電池５０、５０の間隔が保持され、乾電池５０、５０同士が接触することが防止される。これにより、乾電池５０、５０が発熱して異常な高温になることを防止することができる。
【００４６】
二本の乾電池５０、５０が装填された場合は、間隔保持部材６０が電池装填穴４８に進出した状態なので、マイクロスイッチ６６による検知は行われない。この状態でカメラ１０をクレードル１００（図８参照）に搭載した場合、ＣＰＵ７６は、充電回路及びスイッチ回路９０を制御し、乾電池５０への充電が行われないようにする。さらにＣＰＵ７６は、クレードル１００のＬＥＤ１１０を、通常の充電時とは異なる状態にする。例えば、ＬＥＤ１１０を点滅させたり、或いは通常の充電時と異なる色に点灯させたり、又は、消灯させたままにする。これにより、電池ホルダ４４に乾電池５０が装填されたために充電不可であることを認識することができる。
【００４７】
一方、パック電池５２を装填した場合、間隔保持部材６０はパック電池５２に押されて退避位置に移動する。そして、退避位置に移動した間隔保持部材６０がマイクロスイッチ６６に接触し、マイクロスイッチ６６がこれを検知することによって、電池装填穴４８にパック電池５２が装填されたことを検知する。この状態でカメラ１０をクレードル１００に搭載した場合、ＣＰＵ７６は、パック電池５２への充電を行うように充電回路及びスイッチ回路９０を制御し、さらにクレードル１００のＬＥＤ１１０を点灯させる。
【００４８】
このように本実施の形態によれば、電池ホルダ４４の電池装填穴４８に間隔保持部材６０を進退自在に設けるようにしたので、乾電池５０、５０とパック電池５２のどちらでも装填することができ、且つ乾電池５０、５０を装填した場合には乾電池５０、５０同士の接触を防止することができる。
【００４９】
また、本実施の形態によれば、間隔保持部材６０の進退移動をマイクロスイッチ６６によって検知するようにしたので、電池ホルダ４４に装填された電池の種類を識別することができる。よって、装置を大型化することなく、電池の種類を識別することができる。
【００５０】
さらに本実施の形態によれば、電池の識別結果に応じてＣＰＵ７６が充電回路及びスイッチ回路９０を制御するようにしたので、パック電池５２の場合のみ充電を行い、乾電池５０の場合には充電を禁止することができる。
【００５１】
なお、上述した実施の形態において、装填された電池の種類の応じて、電池の残容量の算出を行うようにしてもよい。すなわち、電池はその種類によって温度特性や放電特性が異なるので、電池の種類に応じて残容量の算出方法を変える必要がある。そこで、図８のメモリ８４に予め、残容量を求めるための乾電池５０用のテーブルとパック電池５２用のテーブルを記憶させておき、装填された電池の種類に応じてＣＰＵ７６がその電池のテーブルを読み出し、残容量の算出を行う。そして、モニタ３２等に残容量を表示する。これにより、ユーザーが電池の残容量を正確に把握することができる。
【００５２】
なお、上述した実施の形態は間隔保持部材６０を一つのみ設けたが、これに限定するものではなく、複数設けてもよい。この場合、複数の間隔保持部材６０を電池の挿入方向に並べて設けてもよいし、対向する側面に設けてもよい。
【００５３】
また、上述した実施の形態は、間隔保持部材６０を回動させることによって電池装填穴４８に進退させるようにしたが、これに限定するものではなく、電池の挿入方向や、それと直交する方向にスライドさせることによって電池装填穴に進退させるようにしたもよい。
【００５４】
また、上述した実施の形態は、間隔保持部材６０の進退動作をマイクロスイッチ６６によって検出したが、検出手段はこれに限定するものではなく、例えば透過型や反射型の光センサを用いて検出するようにしてもよい。
【００５５】
さらに、上述した電池ホルダ４４は、電池をその軸方向に装填する構造であるが、電池の装填方向はこれに限定されるものではなく、例えば電池の側面方向に装填する構造の電池ホルダ４４にも本発明を適用することができる。
【図面の簡単な説明】
【００５６】
【図１】本発明に係る電池ホルダが適用されたカメラ１０の斜視図
【図２】図１のカメラを背面及び底面側から示す斜視図
【図３】電池ホルダの構成を示す透視斜視図
【図４】乾電池を装填した電池ホルダの透視斜視図
【図５】パック電池を装填した電池ホルダ４４の透視斜視図
【図６】パック電池を装填する前の電池ホルダの縦断面図
【図７】パック電池を装填した後の電池ホルダの縦断面図
【図８】カメラとクレードルの内部構成を示すブロック図
【符号の説明】
【００５７】
１０…カメラ、１２…撮影レンズ、２０…電源スイッチ、４２…電池カバー、４４…電池ホルダ、４８…電池装填穴、５０…乾電池、５２…パック電池、６０…間隔保持部材、６２…軸、６４…トーションバネ、６６…マイクロスイッチ、７６…ＣＰＵ
【図１】
2006172744.tif 000003
【図２】
2006172744.tif 000004
【図３】
2006172744.tif 000005
【図４】
2006172744.tif 000006
【図５】
2006172744.tif 000007
【図６】
2006172744.tif 000008
【図７】
2006172744.tif 000009
【図８】
2006172744.tif 000010